(57)【要約】      （修正有）【課題】二枚繰り出しが生じない名刺入れを提供する。【解決手段】積層状態の名刺を収納する扁平箱型の収納ケースと、積層名刺群をケース内上方へ押し上げる押上機構２と、ケース前壁部１３に繰り出し孔１３１を設けると共に、最上面の名刺ａをケース外方から操作することによって、最上面の名刺ａをケース外に繰り出す繰り出し機構３とを備える名刺入れにおいて、繰り出し孔１３１の適宜範囲に、基部を前壁部１３の内面に固着して先端部が繰り出し孔１３１に面して外方に撓曲可能とした適宜厚のフィルム部１３４を設ける。【選択図】図４
0003234125.tif 000002
【実用新案登録請求の範囲】
【請求項１】
複数枚の名刺を積層状態に収納する扁平箱型の収納ケースと、前記収納ケース内に積層状態で収納された名刺全体をケース内上方へ押し上げる押上機構と、ケース前壁部に名刺を１枚通過させるに十分な間隙に形成した繰り出し孔を設けると共に、前記積層状態で収納された名刺における最上面の名刺をケース外方から操作することによって、前記積層最上面の名刺をケース外に繰り出す繰り出し機構とを備える名刺入れにおいて、
収納ケースの下面板を開閉構造に形成し、
押上機構を、収納ケースの下面板の適宜位置に設けた扁平磁石と、下面板方向に反発力が作用する扁平磁石を備えた押上シート体で構成し、
繰り出し孔を上面板の裏面に沿って形成し、
前記繰り出し孔の適宜範囲に、基部を前壁部内面に固着して先端部が繰り出し孔に面して外方に撓曲可能とした適宜厚のフィルム部を設けてなることを特徴とする名刺入れ。
【請求項２】
繰り出し機構を、上面板に後壁部から前壁部方向へ適宜な長さに設けた操作透孔と、後縁部分に名刺厚以下に突出形成した係止爪部を備えると共に、前記係止爪部が後壁部に設けた収納部内に納まる範囲を含めて、上面板下面に沿ってスライド可能に配置したスライド部と、前記操作透孔を通して前記スライド部と連結した操作部とで構成してなる請求項１記載の名刺入れ。
【請求項３】
繰り出し孔の中央部分を、上面板に近接する突部に形成すると共に、前記突部の背面を傾斜面に形成し、前記の突部形成箇所にフィルム部を設けてなる請求項１又は２記載の名刺入れ。
【考案の詳細な説明】
【技術分野】
【０００１】
本考案は、名刺の携帯のために使用する名刺入れにおいて、特に名刺収納ケースから名刺を１枚毎繰り出す構造を備えたものに関するものである。
【背景技術】
【０００２】
名刺収納のケースから名刺１枚を繰り出す名刺入れの基本的構成は、収納ケース内に複数枚の名刺を積層状態に収納し、前記積層名刺をケース内上方に発条又は磁石の吸引反発力で押し上げる押上機構部を備え、ケース側面の上方位置に名刺が１枚通過する繰り出し孔を設けると共に、ケース上面に底面が最上面の名刺と当接し且つ上部がケース上面に露出した操作摘みを形成した繰り出し機構部を備え、操作摘みを動作させて、最上層の名刺を繰り出し孔からケース外に露出させ、当該露出した名刺を手で取り出すようにしているものである（特許文献１，２，３，４，５，６）。
【０００３】
しかし前記の名刺入れの繰り出し機構は、操作摘みを動作させると、操作摘みと最上層の名刺との摩擦力で名刺が繰り出し孔より繰り出されるが、繰り出し孔の間隙を名刺１枚分の厚さとした場合には、名刺が僅かな湿気を含むことによって、取り出しができなくなる恐れがある。
【０００４】
更に前記間隙に余裕を持たせると、名刺の厚さの変化に対応可能であるが、積層状態の積層名刺群を上方より押圧しながらの繰り出し操作となるので、前記押圧力によって積層名刺が互いに付着し二枚繰り出しとなる。
【０００５】
この対策として、先に名刺の収納ケースの上面板に後壁部から前壁方向へ適宜な長さで、且つケース後壁部を適宜範囲抉ってなる抉り空間を備えた操作孔部と、裏面に前記操作孔部内を移動可能に納まり、且つ前記抉り空間内に位置して装着時に上面板裏面より名刺厚以下の突出となる係止爪を備えた突出部を設け、上面板表面に前後方向スライド自在に組み込んでなる操作板を備え、前記操作板の操作で名刺をケースから引き出す構成の名刺入れを提案した（特許文献７）。
【０００６】
また前記特許文献７記載の名刺入れは、特に操作板による操作によるもので、積層名刺群を押し込んで最上位置名刺との摩擦力による繰り出しに比較して、２枚繰り出しが防止されるが、名刺自体が湿気を帯びて他に付着しやすい状態となるので、最上位置名刺が操作板に付着すると共に、次位置名刺も最上位置名刺に付着して２枚繰り出してしまう場合がある。そこで繰り出し機構に、後縁部を下方側へ折り返しての名刺厚以下の突出とした係止爪に形成した薄金属板製のスライド薄板を採用することを提案した（特許文献８）。
【０００７】
【特許文献１】実開昭５９−１５９３２号公報。
【特許文献２】実開昭６１−１９０２２０号公報。
【特許文献３】実開昭６２−１１９８３１号公報。
【特許文献４】登録実用新案３１０９８６０号公報。
【特許文献５】登録実用新案３１１４６０１号公報。
【特許文献６】登録実用新案３１３３２０１号公報。
【特許文献７】登録実用新案３２１７１９４号公報。
【特許文献８】登録実用新案３２３２０６３号公報。
【考案の開示】
【考案が解決しようとする課題】
【０００８】
前記した特許文献７，８記載の名刺入れは、２枚繰り出し防止手段として積層状態の名刺の最上位置の名刺の後縁を係止爪で係止して押し出すように改良したものであるが、本考案は、繰り出し機構の構造に関わらず２枚繰り出しを確実に防止できる名刺入れを提案したものである。
【課題を解決するための手段】
【０００９】
本考案の請求項１記載の名刺入れは、複数枚の名刺を積層状態に収納する扁平箱型の収納ケースと、前記収納ケース内に積層状態で収納された名刺全体をケース内上方へ押し上げる押上機構と、ケース前壁部に名刺を１枚通過させるに十分な間隙に形成した繰り出し孔を設けると共に、前記積層状態で収納された名刺における最上面の名刺をケース外方から操作することによって、前記積層最上面の名刺をケース外に繰り出す繰り出し機構とを備える名刺入れにおいて、収納ケースの下面板を開閉構造に形成し、押上機構を、収納ケースの下面板の適宜位置に設けた扁平磁石と、下面板方向に反発力が作用する扁平磁石を備えた押上シート体で構成し、繰り出し孔を上面板の裏面に沿って形成し、前記繰り出し孔の適宜範囲に、基部を前壁部内面に固着して先端部が繰り出し孔に面して外方に撓曲可能とした適宜厚のフィルム部を設けてなることを特徴とするものである。
【００１０】
而して下面板を開口して収納ケース内に名刺を積層して収納し、押上シート体を積層収納した名刺の最下層に重ね、下面板を閉じると、下面板の磁石体と押上シート体の磁気反発力で積層した名刺全体を上面板の裏面に押し付ける。前記状態で繰り出し機構を操作して最上位置の名刺を繰り出し孔から突出させ、同名刺の一部が収納ケースより露出するので、露出部分を持ってケースから引き出すものであるが、特に繰り出し孔の内側にフィルム部が位置しているので、繰り出される名刺は前記フィルム部を撓めせてフィルム部上端の上を通過することになるので、最上位置の名刺に付着して次位置の名刺が一緒に繰り出されたとしても、フィルム部の上端が抵抗となって次位置の名刺の繰り出しを阻止するので、確実に１枚繰り出しが実現する。
【００１１】
また考案の請求項２記載の名刺入れは、特に繰り出し機構を、上面板に後壁部から前壁方向へ適宜な長さに設けた操作透孔と、後縁部分に名刺厚以下に突出形成した係止爪部を備えると共に、前記係止爪部が後壁部に設けた収納部内に納まる範囲を含めて、上面板下面に沿ってスライド可能に配置したスライド部と、前記操作透孔を通して前記スライド部と連結した操作部とで構成したもので、最上位置の名刺の後端縁のみを引掛けることになり、１枚繰り出しを実現し、フィルム部での阻止負担を軽減する。
【００１２】
また本考案の請求項３記載の名刺入れは、上記の名刺入れにおいて、繰り出し孔の中央部分を、上面板に近接する突部に形成すると共に、前記突部の背面を傾斜面に形成し、前記の突部形成箇所にフィルム部を設けてなるもので、当該フィルム部で所定の機能を発揮するが、仮に経年変化でフィルム部の機能低下が生じたとしても、突部によって次位置名刺の突出が阻止されると共に、突部の背面を傾斜面としているので、最上位置名刺の繰り出しはスムーズになされ、且つ突部が当該位置でのフィルム部の機能発揮の支障とはならない。
【考案の効果】
【００１３】
本考案の構成は上記のとおりで、収納ケース内の積層状態の名刺全体のうち最上位置名刺のみを繰り出し装置で押し出す際に、フィルム部の撓曲抵抗を利用することで２枚繰り出しを完全に防止し、１枚毎の確実な繰り出しがなされる名刺入れを提供できたものである。
【図面の簡単な説明】
【００１４】
【図１】本考案の実施形態の使用状態の説明図。
【図２】同名刺収納前の下方斜視図。
【図３】同名刺繰り出し機構の説明図（繰り出し前）。
【図４】同図（繰り出し後）。
【図５】同前面図（繰り出し孔の説明図）。
【考案を実施するための形態】
【００１５】
次に本考案の実施形態について説明する。実施形態に示した名刺入れは、収納ケース１と押上シート体２と操作体（繰り出し機構）３の各部材で構成される。
【００１６】
収納ケース１は、複数枚の名刺が積層状態（積層名刺群Ａ）で納まる内容積を備えた扁平箱型で、上下面板１１，１２及び各壁部（前壁部１３，後壁部１４、左右壁部１５）で形成される。
【００１７】
上面板１１は、各壁部１３，１４，１５の上面に一体に形成したもので、後壁部１４側に操作透孔１１１を設け、操作透孔１１１を含む表裏面の前後範囲に、操作透孔１１１より僅かに幅広として、後述する操作体３のスライド部３１及び操作部３２が嵌合する浅凹部１１２、１１３を形成する。
【００１８】
下面板１２は、前壁部１３の下方にヒンジ連結して煽り開閉自在に組み込まれ、下面板１２を閉口した際に対面する後壁部１４の下面と下面板１２の裏面にそれぞれ吸着用小磁石（開閉クリック機構）１２１，１４１を設け、また下面板１２の裏面の所定位置（後述する押上シート体２との磁気反発力がバランスよく働く位置）には、積層名刺群Ａの押上機構を構成する偏平磁石１２２を設けてなる。
【００１９】
また前壁部１３の上面には、名刺ａが十分に通過できる幅・高さの凹部を設けて、上面板１１と壁部１３、１４，１５と一体とした際に、繰り出し孔１３１が形成されるようにしたものであり、また前記凹部の中央部分に、前記上面板１１に近接する（名刺ａの厚みと同等の間隙）突部１３２を設ける共に、前記突部１３２の背面を傾斜面１３３に形成する
【００２０】
また前壁部１３の内面の中央部分に、フィルム部１３４を配置したもので、フィルム部１３４は適宜厚の樹脂フィルムで形成したもので、基部を内面に固着（貼着）し、上端を上面板１１の裏面に達する位置まで設け、先端部が繰り出し孔１３１に面して外方に撓曲可能となるように設けたものである。尚フィルム部１３４は特に中央部分を外して突部１３２の両側位置に設けても良い。
【００２１】
後壁部１４の上面には、後述する上面板１１に装着する操作体３の係止爪部３３納まる収納部１４２を設けたものである。
【００２２】
押上シート体２は、積層名刺群Ａと重ねて収納ケース１に納めてなるもので、少なくとも一角部分を切り落として取り出し用の切欠部２１を設け、下面板１２の偏平磁石１２２に対して磁気反発作用が働く扁平反発磁石２２を取り付けたものである。尚前記の反発磁石２２の採用に代えて、全体を磁気シートで形成しても良い。
【００２３】
操作体（繰り出し機構）３は、スライド部３１と操作部３２からなり、スライド部３１は、薄板上で上面板１１の裏面の浅凹部１１３に嵌合した際に上面板１１の裏面と面一となるようにしたもので、操作透孔１１１の全長より長くし、後端部分に名刺１枚の厚さより低い係止爪部３３を設けたものである。
【００２４】
操作部３２は、上面板１１の表面浅凹部１１２に嵌合して前後方向にスライド可能に設けたもので、前記スライド部３１を上面板１１の裏面に密着状態で配置した状態で、操作透孔１１１を通してスライド部３１と連結して一体としたものである。
【００２５】
尚、図示した名刺入れは、カバー体Ｂを付設したもので、カバー体Ｂは二つ折りでケース全体を保護するもので、繰り出し孔１３１側（前方）が二つ折りの折り返し箇所なるように、下面板１２の表面に貼着したものである。
【００２６】
而して上記構成の名刺入れは、上下逆転状態で下面板１２を開口し、開口箇所から名刺ａを積層状態で収納し、収納した積層名刺群Ａに押上シート体２を重ねた後、下面板１２を閉じ（吸着用小磁石１２１，１４１で吸着されている）、更にカバー体Ｂを折畳んで携帯するものである。
【００２７】
上記の携帯時において収納されている積層名刺群Ａは、押上シート体２が下面板１２との磁気反発力で上面板１１方向に持ち上げられて、最上位置名刺ａが上面板１１の裏面に密着している状態である。
【００２８】
そこで名刺ａを収納ケースから取り出すために、カバー体Ｂを広げ、操作部３２を最後方位置から前方へスライド操作すると、スライド部３１の係止爪部３３の段差は名刺ａの薄さより十分に薄いので、係止爪部３３が積層名刺群Ａの最上位置名刺ａの後縁のみ係止して前方に押し出す。押し出された最上位置名刺ａは繰り出し孔１３１からその一部が突出して収納ケース１より露出するので、露出部分を手に持って収納ケース１から引き出すことができる。
【００２９】
特に前記の操作体３による最上位置名刺ａの繰り出し操作時に、次位置名刺が最上位置名刺ａに湿気などで付着していたとしても、繰り出された名刺ａは前記フィルム部１３４の上端部分を押し、フィルム部１３４を撓めせてフィルム部１３４の上端の上を通過することになるので、最上位置の名刺に付着して次位置の名刺が一緒に繰り出されたとしても、フィルム部の上端が抵抗となって次位置の名刺の繰り出しを阻止するので、確実に１枚繰り出しが実現する。
【００３０】
また前記のフィルム部１３４が経年変化によって仮に撓曲機能が低下して撓曲状態（中央位置に設けた場合は傾斜面１３３に添う形態となり、その他の箇所に設けた場合は、先端が繰り出し孔１３１の間隙内に位置する）のままとなったとしても、突部１３２の背後が傾斜面１３３に形成されているので、突部１３２と上面板１１の裏面との間隙が前記のとおり狭小であり、且つ傾斜面１３３を備えているので、最上位置名刺ａのみがスムーズ繰り出されることになる。
【００３１】
以上のとおり本考案は収納ケース１内に納められた積層名刺群Ａから、操作体３の操作部３２のスライド操作による名刺の繰り出しに際して、フィルム部よって、最上位置名刺ａのみを１枚確実に繰り出すようにしたもので、繰り出し装置は限定されるものではなく、適宜選択採用できるものである。
【符号の説明】
【００３２】
１      収納ケース
１１    上面板
１１１  操作透孔
１１２  表面浅凹部
１１３  裏面浅凹部
１２    下面板
１２１  吸着用小磁石
１２２  偏平磁石（押上機構）
１３    前壁部
１３１  繰り出し孔
１３２  突部
１３３  傾斜面
１３４  フィルム部
１４    後壁部
１４１  吸着用小磁石
１４２  収納部
１５    左右側壁
２      押上シート体（押上機構）
２１    切欠部
２２    扁平反発磁石
３      操作体
３１    スライド部
３２    操作部
３３    係止爪部
Ａ      積層名刺群
ａ      名刺
Ｂ      カバー体
【図１】
0003234125.tif 000003
【図２】
0003234125.tif 000004
【図３】
0003234125.tif 000005
【図４】
0003234125.tif 000006
【図５】
0003234125.tif 000007